(57)【要約】【課題】水洗い等しても早く乾かすことができるエギケースを提供する。【解決手段】エギＥを投入することができる開口を形成する側部と、前記開口を形成する側部の開口端部とは反対側である側部の底端部に接続される底部とを備えるエギケース１において、側部の底端部又は底部には、外部と連通する水抜き口６１が設けられていることを特徴とする。【選択図】図１
2008011723.tif 000002
【特許請求の範囲】
【請求項１】
上部にエギを投入することができる開口を形成するように周設された側部と、前記開口を形成する側部の開口端部とは反対側である側部の底端部に接続される底部とを備えるエギケースにおいて、側部の底端部又は底部には、外部と連通する水抜き口が設けられていることを特徴とするエギケース。
【請求項２】
側部は、内面同士が対向する一対の板状の基材を備えてなり、それぞれの基材の一端部にて前記開口を形成し、底部は、それぞれの基材がその他端部を中心に内面側又は外面側に回動可能となるように、各基材の他端部に亘ってそれぞれの基材を連結する折代部であり、水抜き口は、折代部に設けられていることを特徴とする請求項１に記載のエギケース。
【発明の詳細な説明】
【技術分野】
【０００１】
本発明は、烏賊釣等に用いるエギを収納するためのエギケースに関する。
【背景技術】
【０００２】
従来、この種のエギケースとしては、上部にエギを投入することができる開口を形成するように周設された側部と、前記開口を形成する側部の開口端部とは反対側である側部の底端部に接続される底部とを備えるものが知られている（下記特許文献１参照）。
【０００３】
かかるエギケースは、エギを開口から投入して内部に収納することができるものであるが、そのまま釣り場へ携帯することもできるものである。そして、エギケースの使用者（釣人）は、釣り場や天候等の状況に応じて、エギケース内部からエギを出し入れして最適なエギを適宜選択しながら釣をする。よって、かかるエギケースは、例えば、エギに付着した汚れなどが付着して汚れてしまうことがある。エギケースが汚れた場合には、エギケース全体を水洗いして洗浄する。
【特許文献１】特許第３６０５０７９号公報
【発明の開示】
【発明が解決しようとする課題】
【０００４】
しかしながら、上記従来のエギケースにあっては、エギを投入することができる開口を形成する側部と、前記開口を形成する側部の開口端部とは反対側である側部の底端部に接続される底部とを備えるので、例えば水洗いした場合に、開口から注入した水がエギケース内部、具体的には、エギケース内部の底部側に溜まってしまい、エギケース全体、特に内部が乾くのに時間がかかってしまう。
【０００５】
そこで、本発明は、上記問題に鑑みてなされ、例えば水洗い等しても早く乾かすことができるエギケースを提供することを課題とする。
【課題を解決するための手段】
【０００６】
本発明は、上記課題を解決すべくなされたものであり、本発明に係るエギケースは、上部にエギを投入することができる開口を形成するように周設された側部と、前記開口を形成する側部の開口端部とは反対側である側部の底端部に接続される底部とを備えるエギケースにおいて、側部の底端部又は底部には、外部と連通する水抜き口が設けられていることを特徴とする。
【０００７】
該構成のエギケースにあっては、側部の底端部又は底部に外部と連通する水抜き口が設けられているので、例えば水洗い等する場合に、エギケースの内部に開口から水を注入しても、その水は、エギケース内部に溜まることなく水抜き口から外部へ流出する。
【０００８】
特に、側部は、内面同士が対向する一対の板状の基材を備えてなり、それぞれの基材の一端部にて前記開口を形成し、底部は、それぞれの基材がその他端部を中心に内面側又は外面側に回動可能となるように、各基材の他端部に亘ってそれぞれの基材を連結する折代部であり、水抜き口は、折代部に設けられていることが好ましい。基材がその他端部を中心に内面側又は外面側に回動可能に構成されることにより、例えば水洗い等する場合に基材を外面側に回動することにより、エギケース内部が洗い易くなる。また、水抜き口が折代部に設けられていると、開口から注入した水がよどみなくスムーズに水抜き口から外部に流出するので、より一層エギケース内部に水が溜まり難くなる。
【発明の効果】
【０００９】
以上のように、本発明にかかるエギケースにあっては、側部の底端部又は底部に外部と連通する水抜き口が設けられているので、例えば水洗い等する場合に、エギケースの内部に入ったがエギケース内部に溜まることなく水抜き口から外部へ流出する結果、エギケースを早く乾かすことができるという効果を奏する。
【発明を実施するための最良の形態】
【００１０】
以下、本発明に係るエギケースの一実施形態について図面を参酌しつつ説明する。
図１に、本実施形態におけるエギケース１が示されている。該エギケース１は、エギＥを並列に並べて収納し容易に出し入れできるものである。エギケース１は、側部としての板状の基材２と、基材２に接続される底部としての折代部６とを備える。そして、基材２は、その開口端部としての一端部（上端部２３）にてエギＥを投入することができる開口を形成し、底端部としての他端部（下端部２４）にて折代部６と接続されている。また、基材２の一方の面（内面２１）側には、エギＥを上下方向に収納する収納部３が設けられ、収納部３の断面形状をその一辺が基材２の内面２１に沿う略三角形状とする一対の収納部形成部材４と、一方の収納部形成部材４の一端（下端４１）から他方の収納部形成部材４の一端（下端４１）まで亘る底部材５とが設けられている。
【００１１】
基材２は、図２に示すように、左右方向に伸びる板状であり、水を通さない例えば透明又は半透明の樹脂プレートにて構成されている。本実施形態では、基材２は、内面２１同士が対向するように一対（１組）設けられており、それぞれの基材２は、上端部２３にてエギＥをエギケース１内部に投入する開口を形成し、上端部２３とは反対側である下端部２４を中心に内面２１側又は外面２２側に回動可能となっている。具体的には、それぞれの基材２は、下端部２４を中心に他方の基材２に対して接近する又は離間する方向に回動可能に構成されている。
【００１２】
また、それぞれの基材２を連結するように各基材２の下端部２４に亘って折代部６が設けられている。具体的には、折代部６は、左右方向に伸びる板状であり、水を通さない例えば透明又は半透明の樹脂プレートにて構成されている。折代部６は、一方の基材２の下端部２４から他方の基材２の下端部２４まで亘るように設けられ、本実施形態では、それぞれの基材２と一体となって基材２同士を一体的に連結している。そして、各基材２の下端部２４と折代部６との境目がそれぞれの基材２の回動の中心Ｃ１となっており、各基材２は、この中心周りに基材２の内面２１側又は外面２２側（前後双方向）に各々回動可能となっている。
【００１３】
折代部６には、基材２同士の間の隙間と外部とを連通する水抜き口６１が設けられている。具体的には、図３に示すように、水抜き口６１は、折代部６の内面側から外面側へ向けて（或いは外面側から内面側へ向けて）折代部６を貫通する開口部である。本実施形態では、水抜き口６１は、楕円形状の孔である。また、水抜き口６１は、左右方向に一対設けられている。尚、水抜き口６１は、左右に一対設ける場合に限らず、１つのみ設けた場合でも２つ以上設けた場合でもよい。
【００１４】
収納部形成部材４は、図２に示すように、上下方向に伸びる板形状であり、例えば透明又は半透明の樹脂プレートにて構成されている。収納部形成部材４の上端４２は、後方端である基端４２ａから前方端である先端４２ｂ側ほど収納部形成部材４の下端４１側に下がっている第１坂部４２１と、第１坂部４２１に連続し先端４２ｂに至るまで下端４１と略平行となっている第２坂部４２２とを備える。
【００１５】
具体的には、第１坂部４２１は、図４に示すように、収納部形成部材４の下端４１側と反対の方向に凸となるように弓形に曲がった形状である。より詳細には、第１坂部４２１は、下端４１側に向けて下がる方向（傾斜方向）に対し略垂直な方向に弓形に突出した曲線形状である。本実施形態においては、収納部形成部材４の下端４１側に向けての第１坂部４２１の傾きは、先端４２ｂ側になるほど大きな傾きとなるように連続的に大きくなっており、基端４２ａ側ほど緩やかな傾きで、先端４２ｂ側ほど下端４１側へ向けて急な傾きとなっている。
【００１６】
尚、第１坂部４２１は、基端４２ａから先端４２ｂ側へ向けて一定の割合で下端４１側に下がる直線形状であってもよく、また、基端４２ａから先端４２ｂ側へ向けて段階的に下端４１側に下がる段差形状であってもよい。何れにしても、第１坂部４２１は、基材２の内面２１側である基端４２ａから基材２と離間するにつれて底部材５側に下るように形成されていればよい。
【００１７】
第２坂部４２２は、第１坂部４２１の先端４２ｂ側にて第１坂部４２１に連続し、そこから先端４２ｂに至るまで収納部形成部材４の下端４１に略平行な方向に向けて略平坦に形成されている。本実施形態では、第２坂部４２２は、第１坂部４２１に滑らかに連続しているが、第１坂部４２１に対し屈曲するように連続している場合でもよい。
【００１８】
尚、第２坂部４２２は、第１坂部４２１と同じ方向であって第１坂部４２１よりも緩やかに下端４１側に下がっている場合でもよい。具体的には、第２坂部４２２は、第１坂部４２１の先端４２ｂ側にて第１坂部４２１に連続し、先端４２ｂに至るまで収納部形成部材４の下端４１側に下がっており、且つ、その下端４１側に下がる割合が第１坂部４２１全体の下端４１側に下がる割合よりも小さくなるように形成されてもよい。
【００１９】
そして、収納部形成部材４は、基材２の内面２１に対し左右何れかの方向に傾けて配置されている。具体的には、収納部形成部材４は、その上下方向を基材２の上下方向と一致させると共に基端部４ａを基材２側に向け先端部４ｂを基材２から離間する側に向けて、基材２の内面２１に対し左右何れかの方向に傾けた状態で配置されている。そして、収納部形成部材４の基材２の内面２１に対する傾きと反対の傾きとなり、先端部４ｂ同士が接続され基端部４ａ同士が左右方向に離間するように、収納部形成部材４に隣接して次の収納部形成部材４が配置されている。更に、隣接する収納部形成部材４の基材２の内面２１に対する傾きと反対の傾きとなり、隣接する収納部形成部材４に対して基端部４ａ同士が接続され先端部４ｂ同士が左右方向に離間するように、更なる収納部形成部材４が連続して配置されている。
【００２０】
このように、収納部形成部材４は、基材２の内面２１に対し交互の傾きとなるように、左右方向に複数連設して設けられることにより、収納壁部材７を構成している。尚、本実施形態では、収納壁部材７は、各収納部形成部材４の接続されている先端部４ｂ同士又は基端部４ａ同士が一体的に連続して構成されている。
【００２１】
また、収納壁部材７は、左右方向にジグザグ状に連続する複数の収納部形成部材４のうち、先端部４ｂ同士が接続され基端部４ａ同士が離間している一対の収納部形成部材４のそれぞれの下端部４１同士を連結する底部材５を備える。具体的には、図４に示すように、底部材５は、一対の収納部形成部材４の各下端部４１の接続部分（各先端部４ｂ）を一つの頂点とし、各収納部形成部材４の基端部４ａをそれぞれ他の二つの頂点とする略三角形状である。
【００２２】
本実施形態におけるエギケース１にあっては、図１に示すように、左右方向にジグザグ状に連続する複数の収納部形成部材４と、先端部４ｂ同士が接続され基端部４ａ同士が離間している一対の収納部形成部材４のそれぞれの下端部４１同士を連結する底部材５とを備える収納壁部材７が基材２の内面２１に取り付けられることによって、エギＥを上下方向に収納するための収納部３が基材２の内面２１側に左右方向に複数連設して設けられる。具体的には、収納部形成部材４の基端部４ａ同士が接続されている部分が基材２の内面２１に当接し、底部材５が基材２の下端部２４側となるようにして収納壁部材７を基材２の内面２１に取り付けることによって、基材２と収納部形成部材４と底部材５とで囲まれる領域に収納部３が形成されることとなる。従って、収納部３は、その断面形状が基材２の内面２１に一辺が沿う略三角形状で、上側が開口し下側が底部材５にて閉塞されることとなる。そして、図５に示すように、左右方向に複数連設した収納部３それぞれに対し、収納部３の上側の開口からエギＥを上下方向に出し入れする。
【００２３】
本実施形態では、基材２は、収納部３が設けられる内面２１が対向するように前後に一対設けられると共に各々が下端部２４を中心に前後に回動可能に構成されており、各基材２の内面２１に、上記収納壁部材７がそれぞれ設けられている。そして、一方側の基材２に設けられた収納壁部材７（一方の収納壁部材７）と、他方の基材２に設けられた収納壁部材７（他方の収納壁部材７）とは、一方の収納壁部材７を形成する収納部形成部材４の先端部４ｂが他方の収納壁部材７を形成する収納部形成部材４の基端部４ａに対応するように、互いに左右方向に位置ずれして設けられている。
【００２４】
従って、図６に示すように、各基材２をその下端部２４を中心に他方の基材２に対して接近する方向に回動させて基材２同士を接近状態とすると、一方の基材２の内面２１側に設けられる収納部３を形成する収納部形成部材４と、他方の基材２の内面２１に設けられる収納部３を形成する収納部形成部材４とは、互いに相補的に噛み合うこととなる。具体的には、一方の基材２に設けられた各収納部３の間に、他方の基材２に設けられた各収納部３が各々嵌め合って互いに相補的に噛み合う。
【００２５】
そして、図１に示すように、基材２の下端部２４を除く外周縁部と折代部６の左右両端部とは、保護部材によって覆われている。具体的には、各基材２の左右両端部と上端部２３とは、保護部材としての保護テープ８でそれぞれ被覆され、更に、折代部６の左右両端部も保護テープ８にてそれぞれ被覆されている。
【００２６】
そして、両基材２の間の隙間には、基材２の下端部２４を除く外周縁部同士が着脱自在となるように、着脱手段が設けられている。具体的には、着脱手段は、基材２の下端部２４を除く外周縁部に沿って両基材２に跨るように設けられ、基材２の上端部２３にて形成される開口が開閉自在となっている。より詳細には、例えば着脱手段としてのスライドファスナーＳ１は、基材２の左右何れか一方の側端部の下部（例えば、折代部６の右端部付近）から上端部２３を通って他方の側端部の下部（例えば、折代部６の左端部付近）まで亘るように、スライドファスナーＳ１の幅方向の一端部を一方の基材２に取り付け他端部を他方の基材２に取り付けて設けられている。このスライドファスナーＳ１を係合することにより、エギＥを投入するための開口を閉じ、かかる係合を解除することにより、前記開口を開くことができるようになっている。
【００２７】
また、一方の基材２の外面２２の上端部２３には、環状のベルト通し部９が設けられている。具体的には、ベルト通し部９は、上下方向に伸びる矩形部材を環状に折り返して上下両端部を重ね合わせ、重ね合わせた上下両端部を基材２の上端部２３に固定して構成されている。ベルト通し部９の環状に使用者が着用しているベルトを挿通することで、エギケース１の持ち運びが容易になる。
【００２８】
以上の構成からなるエギケース１にあっては、折代部６に外部と連通する水抜き口６１が設けられているので、例えばエギケース１の内部を水洗いしようと基材２の上端部２３側の開口から水を注入すると、その水は、折代部６側、つまりエギケース１の底側に流れていき、エギケース１内部に溜まることなくスムーズに水抜き口６１から外部へ流出する。従って、エギケース１を早く乾かすことができる。
【００２９】
また、収納部形成部材４の上端４２が、基材２の内面２１側である基端４２ａから基材２と離間する側の先端４２ｂ側になるにつれて基材２の下端部２４側に下がっている第１坂部４２１と、第１坂部４２１に連続し先端４２ｂに至るまで底部材５と略平行（基材２の下端と略平行）となっている第２坂部４２２とを備えるので、例えば、収納部形成部材４の上端４２全体を、その基端４２ａから先端４２ｂへ向けて一定の割合で下がるように傾斜させた直線状にし、且つ、その傾斜を緩やかな傾斜とした場合よりも、収納部形成部材４の上端４２全体が下側に位置することとなり、収納部３を形成する収納部形成部材４が少なくなる。
【００３０】
一方で、収納部形成部材４の上端４２全体を、その基端４２ａから先端４２ｂへ向けて一定の割合で下がるように傾斜させた直線状にし、且つ、その傾斜を第１坂部４２１全体としての基材２の下端２４側への傾斜のように急な傾斜とした場合よりも、収納部３を形成する収納部形成部材４は先端部４ｂにおいて多くなる。
【００３１】
よって、エギＥを手指でしっかり摘んで収納部３から取り出す或いは収納部３へ収納する等の作業を容易に行うことができ、併せて、収納部３に収納したエギＥががさついて収納部３から不用意に飛び出してしまうのを防止することができ使い勝手がよくなる。
【００３２】
また、前後に対向する各基材２を回動させて基材２同士を接近状態としたときに、一方の基材２に設けられた各収納部３の間に、他方の基材２に設けられた各収納部３が各々嵌め込まれて互いに相補的に噛み合うように構成されており、第１坂部４２１は、基材２の下端側２４に向けて下がる方向（傾斜方向）に対し略垂直な方向に弓形に凸となる曲線形状であるので、例えば、第１坂部４２１が収納部形成部材４の上端４２の基端４２ａから先端４２ｂへ向けて一定の割合で傾斜した直線形状である場合よりも、収納部形成部材４の第１坂部４２１に対応する部分が多くなり、エギケース１内部でエギＥが不用意に飛び出して収納状態が乱れるのをより確実に防止することができる。また、基材２同士を接近状態としたときには、一方の基材２側の第１坂部４２１と、この第１坂部４２１に噛み合う他方の基材２側の他の第１坂部４２１との接点が、より一層上側に位置することとなり、噛み合った一方及び他方の収納部形成部材４双方によって、確実にエギＥの不用意な飛び出しを防止することができる。
【００３３】
尚、本実施形態では、水抜き口６１が楕円形状の孔である場合について説明したが、これに限られず、例えば、円形状や多角形状の孔であってもよく、或いは、スリット状の切欠きであってもよい。また、水抜き口６１の開口を開閉する開閉部を設けるなどして、水抜き口６１を開閉自在となるように構成してもよい。更に、折代部６全体或いは所定の領域に網目領域を形成することによって水抜き口６１を形成してもよい。何れにしても、水抜き口６１は、外部とエギケース１内部とを水が通るように連通していればよい。
【００３４】
また、本実施形態では、水抜き口６１が折代部６に設けられている場合について説明したが、これに限られず、側部としての基材２の下端部２４に設けた場合であってもよい。
【００３５】
また、本実施形態では、エギケース１が一対の基材２を一組のみ備える場合について説明したが、これに限られず、例えば、図７に示すように、内面２１同士が対向する一対の基材２を複数組（例えば、２組）準備し、各組の一方の基材２の外面２２同士を重ね合わせて各組を並べて連結した場合であってもよい。この場合、それぞれの組を構成する両基材２の下端部２４間に亘るように折代部６を設け、それぞれの折代部６に水抜き口６１をそれぞれ設けるのがよい。
【００３６】
更に、本実施形態では、折代部６がそれぞれの基材２の下端部２４にて各基材２と一体になっている場合について説明したが、これに限られず、例えば、折代部６を介して２つ折り可能なカバー体を別途準備し、基材２に設けられた収納部３が内側に向くと共に底部材５がカバー体の折り側（折代部６側）となるように、カバー体の対向する各内面に基材２をそれぞれ設けた場合であってもよい。
【図面の簡単な説明】
【００３７】
【図１】本発明の一実施形態に係るエギケースを示す斜視図。
【図２】同エギケースの内部の構造を示す斜視図。
【図３】同エギケースの折代部を示す下面図。
【図４】同エギケースの内部拡大断面図。
【図５】同エギケースの収納部からエギを出し入れする様子を示す概略図。
【図６】同エギケースが相補的に噛み合う様子を示す平面図。
【図７】他の実施形態に係るエギケースを示す斜視図。
【符号の説明】
【００３８】
１…エギケース、２…基材、３…収納部、４…収納部形成部材、５…底部材、６…折代部、７…収納壁部材、８…保護テープ、９…ベルト通し部、６１…水抜き口、４２１…第１坂部、４２２…第２坂部、Ｅ…エギ、Ｓ１…スライドファスナー
【図１】
2008011723.tif 000003
【図２】
2008011723.tif 000004
【図３】
2008011723.tif 000005
【図４】
2008011723.tif 000006
【図５】
2008011723.tif 000007
【図６】
2008011723.tif 000008
【図７】
2008011723.tif 000009